(57)【特許請求の範囲】
【請求項１】
光通信におけるＯＴＮ信号を交換する光通信用クロスコネクト装置であって、
非同期によるＯＴＮ信号処理を行う複数のＯＴＮ信号処理部と、前記複数のＯＴＮ信号処理部の間に接続されてＯＴＮ信号の双方向の信号交換を行う空間スイッチと、を備え、
前記複数のＯＴＮ信号処理部のうちの信号伝送を行う第１のＯＴＮ信号処理部と第２のＯＴＮ信号処理部がそれぞれ、任意の形式のクライアント信号とＯＴＮ信号との間の変換処理を行うクライアント信号収容部、およびＯＴＵ信号をＬＯ−ＯＤＵ信号とＨＯ−ＯＤＵ信号の間で変換するライン信号処理部、のいずれか一方からなり、前記第１と第２のＯＴＮ信号処理部の間、または前記第１および第２のＯＴＮ信号処理部のうちの通信端側となる方と前記光通信用クロスコネクト装置との通信相手先の光通信用クロスコネクト装置の通信端側のＯＴＮ信号処理部との間で、一方でＯＴＮ信号のスキュ処理を行い他方で該スキュ処理に対するデスキュ処理を行うと共に信号伝送のクロックを共有することを特徴とする光通信用クロスコネクト装置。
【請求項２】
前記第１のＯＴＮ信号処理部がクライアント信号収容部、前記第２のＯＴＮ信号処理部がライン信号処理部、からなり、
前記クライアント信号収容部が、
光通信用クロスコネクト装置に入力された電気信号であるクライアント信号をＬＯ−ＯＤＵ信号に非同期収容してＯＴＵまたはＯＤＵ信号として出力するＬＯ−ＯＴＮ収容部と、
前記ＬＯ−ＯＴＮ収容部から出力された信号をＭＬＤによりスキュ信号処理が施された並列信号である第１のＭＬＤ信号として前記空間スイッチに出力する送信ＭＬＤ部と、
前記ライン信号処理部より前記空間スイッチを介して入力された第２のＭＬＤ信号を受信しデスキュ処理を行いＯＴＵまたはＯＤＵ信号として回復する受信ＭＬＤ部と、
回復したＯＴＵまたはＯＤＵ信号からクライアント信号を抽出して出力するクライアント信号抽出部と、を含み、
前記ライン信号処理部が、
前記クライアント信号収容部より前記空間スイッチ介して入力された前記第１のＭＬＤ信号をデスキュ処理を行いＬＯ−ＯＤＵ信号として回復する受信ＭＬＤ部と、
前記ＬＯ−ＯＤＵ信号をＨＯ−ＯＤＵ信号として非同期多重するＯＤＵ多重部と、
多重されたＨＯ−ＯＤＵ信号をＯＴＵフレーム化してＨＯ−ＯＴＵ信号として外部に出力するＨＯ−ＯＴＵ収容部と、
外部から受信したＨＯ−ＯＴＵ信号のＯＴＵフレームからＨＯ−ＯＤＵ信号を抽出するＯＴＵフレーム受信部と、
抽出されたＨＯ−ＯＤＵ信号から多重分離によりＬＯ−ＯＤＵ信号を抽出するＯＤＵ多重分離部と、
多重分離されたＬＯ−ＯＤＵ信号をＭＬＤによりスキュ信号処理が施された並列信号である前記第２のＭＬＤ信号として前記空間スイッチに出力する送信ＭＬＤ部と、を含み、
信号伝送を行う前記送信ＭＬＤ部と受信ＭＬＤ部とで信号伝送のクロックを共有する、
ことを特徴とする請求項１に記載の光通信用クロスコネクト装置。
【請求項３】
前記第１のＯＴＮ信号処理部がクライアント信号収容部、前記第２のＯＴＮ信号処理部がライン信号処理部、からなり、
前記クライアント信号収容部が、
光通信用クロスコネクト装置に入力された電気信号であるクライアント信号をＬＯ−ＯＤＵ信号に非同期収容してＯＴＵまたはＯＤＵ信号として出力するＬＯ−ＯＴＮ収容部と、
前記ＬＯ−ＯＴＮ収容部から出力された信号をＭＬＤによりスキュ信号処理が施された並列信号であるＭＬＤ信号として前記空間スイッチに出力する送信ＭＬＤ部と、
前記ライン信号処理部から前記空間スイッチを介して入力される多重分離により抽出されたＭＬＤ信号であるＬＯ−ＯＤＵ信号を受信しデスキュ処理を行いＯＴＵまたはＯＤＵ信号として回復する受信ＭＬＤ部と、
回復したＯＴＵまたはＯＤＵ信号からクライアント信号を抽出して出力するクライアント信号抽出部と、を含み、
前記空間スイッチが、前記前記クライアント信号収容部からの前記ＭＬＤ信号を複数の並列断片信号として前記ライン信号処理部へ出力し、
前記ライン信号処理部が、
前記クライアント信号収容部から前記空間スイッチを介して入力されたＬＯ−ＯＤＵ信号の前記複数の並列断片信号をＨＯ−ＯＤＵのＯＤＴＵに直接マップしてＨＯ−ＯＤＵ信号として非同期多重する第２のＯＤＵ多重部と、
ＨＯ−ＯＤＵ信号として多重されたＨＯ−ＯＤＵ信号をＯＴＵフレーム化してＨＯ−ＯＴＵ信号として前記光通信用クロスコネクト装置との通信相手先の光通信用クロスコネクト装置に出力するＨＯ−ＯＴＵ収容部と、
前記通信相手先の光通信用クロスコネクト装置から受信したＨＯ−ＯＴＵ信号のＯＴＵフレームからＨＯ−ＯＤＵ信号を抽出するＯＴＵフレーム受信部と、
抽出されたＨＯ−ＯＤＵ信号から多重分離によりＬＯ−ＯＤＵ信号を抽出して前記空間スイッチに出力するＯＤＵ多重分離部と、を含み、
前記クライアント信号収容部の送信ＭＬＤ部と前記通信相手先の光通信用クロスコネクト装置のＯＴＮ信号処理部との間で信号伝送のクロックを共有する、
ことを特徴とする請求項１に記載の光通信用クロスコネクト装置。
【請求項４】
前記第１および第２のＯＴＮ信号処理部が共にクライアント信号収容部からなり、
前記クライアント信号収容部が、
光通信用クロスコネクト装置に入力された電気信号であるクライアント信号をＬＯ−ＯＤＵ信号に非同期収容してＯＴＵまたはＯＤＵ信号として出力するＬＯ−ＯＴＮ収容部と、
前記ＬＯ−ＯＴＮ収容部から出力された信号をＭＬＤによりスキュ信号処理が施された並列信号であるＭＬＤ信号として前記空間スイッチに出力する送信ＭＬＤ部と、
前記空間スイッチを介して入力されたＭＬＤ信号を受信しデスキュ処理を行いＯＴＵまたはＯＤＵ信号として回復する受信ＭＬＤ部と、
回復したＯＴＵまたはＯＤＵ信号からクライアント信号を抽出して出力するクライアント信号抽出部と、
を含み、
信号伝送を行う前記送信ＭＬＤ部と受信ＭＬＤ部とで信号伝送のクロックを共有する、
ことを特徴とする請求項１に記載の光通信用クロスコネクト装置。
【請求項５】
前記第１および第２のＯＴＮ信号処理部が共にライン信号処理部からなり、
前記ライン信号処理部が、
外部から受信したＨＯ−ＯＴＵ信号のＯＴＵフレームからＨＯ−ＯＤＵ信号を抽出するＯＴＵフレーム受信部と、
抽出されたＨＯ−ＯＤＵ信号から多重分離によりＬＯ−ＯＤＵ信号を抽出するＯＤＵ多重分離部と、
多重分離されたＬＯ−ＯＤＵ信号をＭＬＤによりスキュ信号処理が施された並列信号であるＭＬＤ信号として前記空間スイッチに出力する送信ＭＬＤ部と、
前記空間スイッチ介して入力された前記ＭＬＤ信号をデスキュ処理を行いＬＯ−ＯＤＵ信号として回復する受信ＭＬＤ部と、
前記ＬＯ−ＯＤＵ信号をＨＯ−ＯＤＵ信号として非同期多重するＯＤＵ多重部と、
多重されたＨＯ−ＯＤＵ信号をＯＴＵフレーム化してＨＯ−ＯＴＵ信号として外部に出力するＨＯ−ＯＴＵ収容部と、
を含み、
信号伝送を行う前記送信ＭＬＤ部と受信ＭＬＤ部とで信号伝送のクロックを共有する、
ことを特徴とする請求項１に記載の光通信用クロスコネクト装置。
【請求項６】
ＯＴＮ信号の双方向の信号交換を行う空間スイッチにＯＴＮ信号処理を行う複数のＯＴＮ信号処理部が接続された光通信用クロスコネクト装置において、前記複数のＯＴＮ信号処理部が非同期によるＯＴＮ信号処理を行い、前記複数のＯＴＮ信号処理部のうちの信号伝送を行う第１のＯＴＮ信号処理部と第２のＯＴＮ信号処理部がそれぞれ、任意の形式のクライアント信号とＯＴＮ信号との間の変換処理を行う処理、およびＯＴＵ信号をＬＯ−ＯＤＵ信号とＨＯ−ＯＤＵ信号の間で変換する処理、のいずれか一方を行い、前記第１と第２のＯＴＮ信号処理部の間、または前記第１および第２のＯＴＮ信号処理部のうちの通信端側となる方と前記光通信用クロスコネクト装置との通信相手先の光通信用クロスコネクト装置の通信端側のＯＴＮ信号処理部との間で、一方でＯＴＮ信号のスキュ処理を行い他方で該スキュ処理に対するデスキュ処理を行うと共に信号伝送のクロックを共有することを特徴とする光通信用クロスコネクト装置における信号処理方法。
【発明の詳細な説明】
【技術分野】
【０００１】
この発明は光通信に用いられる光通信用クロスコネクト装置等に関する。
【背景技術】
【０００２】
光ネットワークはその発展過程において信号速度毎に多様な信号フレームが標準化されてきた。下記非特許文献１に記載のＳＯＮＥＴ／ＳＤＨ(Synchronous Optical Network/Synchronous Digital Hierarchy)方式では１５０Ｍｂｐｓ信号を収容するＳＴＭ(Synchronous Transport Module)−１に始まり、以降、４倍毎の伝送速度に対応したＳＴＭ−４(６００Ｍｂｐｓ)，ＳＴＭ−１６(２．４Ｇｂｐｓ)，ＳＴＭ−６４(１０Ｇｂｐｓ)信号が標準的に用いられてきた。ＳＯＮＥＴ／ＳＤＨ方式では、固定フレーム長のデータに対して送信する情報を収納するペイロード領域と伝送情報ヘッダが付与された構成となっている。これらの信号は主として電気信号で交換され、その際には同じ階梯の信号同志を交換する。その際、ＳＯＮＥＴ／ＳＤＨにおいてはデータ伝送に用いるクロックを全ノードで同期させることにより、交換される信号間におけるデータ速度の不整合を防いでいる。【０００３】
一方で、光伝送路における信号雑音比耐力の向上のために誤り訂正情報を付与する下記非特許文献２記載のＯＴＮ(Optical Transport Network)方式が近年は主流となっている。図９にＯＴＮ方式におけるフレーム構成を示す。(ａ)にＯＤＵ(Optical-channel Data Unit)フレーム、(ｂ)にＯＴＵ(Optical-channel Transport Unit)フレームを示す。ＯＴＮ方式においては、送信する情報を収納するペイロード領域(ＯＰＵ：Optical-channel Payload Unit)に、伝送情報ヘッダを追記したＯＤＵ(Optical-channel Data Unit)とＯＤＵヘッダ領域とヘッダ領域を共有し、さらに(前方)誤り訂正パリティ情報(ＦＥＣ：Forward Error Correction)を付与したＯＴＵが定義されている。ＯＨ(Overhead)は制御情報(保守オーバーヘッド)、ＦＡ(Frame Alignment)はフレームアライメントを示す。【０００４】
ＯＴＮ方式ではその伝送速度に応じて、ＯＤＵ１／ＯＴＵ１(２．５Ｇｂｐｓ)、ＯＤＵ２／ＯＴＵ２(１０Ｇｂｐｓ)、ＯＤＵ３／ＯＴＵ３(４０Ｇｂｐｓ)、ＯＤＵ４／ＯＴＵ４(１００Ｇｂｐｓ)、といった伝送レートが現在のところ規定されている。【０００５】
光ネットワークにおいてはこれらの信号が混在することが可能なように各伝送フレームは下位の速度の伝送フレームを多重収容できるように階梯構造が設計されている。例えば、ＳＴＭ(Synchronous Transport Module)−４は４つのＳＴＭ−１信号を収容可能であるし、ＯＴＵ４信号は１０のＯＴＵ２信号を収容可能である。【０００６】
図１０にＯＴＵ３にＯＤＵ２信号を収容する場合の例を示す。ＯＴＵ３のペイロード領域(ＯＰＵ３)は４つのＯＤＴＵ(Optical Channel Data Tributary Unit)２３または１６のＯＤＴＵ３．ｔｓを用いて構成され、前者の場合には、各ＯＤＴＵ２３とＯＴＵ２を１対１対応で割り付けを行い、後者の場合には、図示のようにＯＤＵ２信号を４逆多重した信号(ＴＳ)を４つのＯＤＴＵ３．ｔｓに割り付ける。【０００７】
これらの信号はすべての階梯において同じフレーム長、フレーム構成を有するが、上位の階梯信号(ＨＯ−ＯＤＵ)は下位の階梯信号(ＬＯ−ＯＤＵ)のヘッダ部分をも伝送することが可能なように、信号の伝送速度自体は下位の階梯の伝送速度の整数倍とはならない。また、ＯＴＮではＬＯ−ＯＤＵｋ、ＨＯ−ＯＴＵｊとして伝送される各光パスはＧ．７０９記載のジッタ規定を逸脱しない範囲で動作するため、同じ階梯同士でもそのクロックは必ずしも同期していない。【０００８】
近年の伝送速度は１００Ｇｂｐｓにも到達しているため、これらの信号を交換する装置に対しては、回路規模が増大する傾向があり、さらには装置内の信号伝送に堪えるために低速信号に並列化を行った場合においても装置そのものの大規模化を防ぐために並列信号伝送そのものが高速化し、並列信号間でのスキュ補償が課題となる。さらには固定長の伝送フレームが連続して送信される状況下で多様な信号速度が入り混じるため、これらの信号のクロック整合のとれた装置構成が求められる。【０００９】
下記特許文献１に提示されている構成によれば、交換されるＬＯ−ＯＤＵｋ信号は装置システムのＯＤＴＵ４．ｔｓ単位で分割され、装置システム共通のクロックで動作する共通フレームへと非同期収容される。信号交換は、装置に装置システム共通のクロックで動作する時分割方式のスイッチによる共通フレーム群のクロスコネクトによって実現される。クロスコネクトされた信号は、信号交換装置より出力されるＨＯ−ＯＤＵｊ信号への多重を行う時点で共通フレームからＨＯ−ＯＤＵｊ信号のＯＤＴＵｊ．ｔｓまたはＯＤＴＵｊｋへの信号載せ替えが行われる。ここでＨＯ−ＯＤＵｊ信号は上述のようにｊの値により伝送レートが異なるため、信号載せ替えは非同期収容回路での載せ替えとなる。【００１０】
下記特許文献１の方式では様々なＨＯ−ＯＤＵｊ信号入出力に対して、ＯＤＴＵ４．ｔｓ単位での信号交換が可能となる反面、実現のためには時分割クロスコネクトのための非同期信号の収容回路がクロスコネクトの前後に必要であり、時分割実現のためにクロスコネクト部でのフレーム同期が必要である。さらに、交換先ＨＯ−ＯＤＵｊの収容部にて同一のＬＯ−ＯＤＵｋ信号を搭載した共通フレーム間の同期がとれるような設計、また、クロスコネクトのためのインタフェースの統一、等が必要といった高度な回路実装技術が要求される。【００１１】
これらの信号交換装置における課題とは別に、現在の光ネットワーク上では１光パスあたりの光伝送容量が増大しており、伝送されるＨＯ−ＯＤＵｊの伝送容量すべてを使い切らない場合が散在し、結果として未使用のＯＤＴＵ領域が散在している。これら未使用の領域を用いることでより、光ネットワークにおいてより効率的な伝送容量を達成することが可能であるが、伝送されるべき光パスの容量が各断片パスの容量に比較して大きい場合にはこれらの断片パスを利用することができない。信号を複数のパスに分割する場合では光パス間での動作クロックが非同期である点と、光パス間での伝送遅延の違いによって発生するパス間のスキュを吸収する方法が課題となる。
【先行技術文献】
【特許文献】
【００１２】
【特許文献１】特開２０１１−１９９５４８号公報
【非特許文献】
【００１３】
【非特許文献１】ITU-T、Recommendation G.707、２００７年１月
【非特許文献２】ITU-T、Recommendation G.709、２００９年１２月
【発明の概要】
【発明が解決しようとする課題】
【００１４】
以上のような状況から、装置内スキュが補償され、クロック速度および光伝送インタフェースの種別(速度)に無関係にＬＯ−ＯＤＵ単位での非同期信号交換を容易に実現する光通信用クロスコネクト装置等の提供等が望まれる。【００１５】
この発明は、装置内スキュが補償され、クロック速度および光伝送インタフェースの種別(速度)に無関係にＬＯ−ＯＤＵ単位での非同期信号交換を容易に実現する光通信用クロスコネクト装置等を提供することを目的とする。
【課題を解決するための手段】
【００１６】
この発明は、光通信におけるＯＴＮ信号を交換する光通信用クロスコネクト装置であって、非同期によるＯＴＮ信号処理を行う複数のＯＴＮ信号処理部と、前記複数のＯＴＮ信号処理部の間に接続されてＯＴＮ信号の双方向の信号交換を行う空間スイッチと、を備え、前記複数のＯＴＮ信号処理部のうちの信号伝送を行う第１のＯＴＮ信号処理部と第２のＯＴＮ信号処理部がそれぞれ、任意の形式のクライアント信号とＯＴＮ信号との間の変換処理を行うクライアント信号収容部、およびＯＴＵ信号をＬＯ−ＯＤＵ信号とＨＯ−ＯＤＵ信号の間で変換するライン信号処理部、のいずれか一方からなり、前記第１と第２のＯＴＮ信号処理部の間、または前記第１および第２のＯＴＮ信号処理部のうちの通信端側となる方と前記光通信用クロスコネクト装置との通信相手先の光通信用クロスコネクト装置の通信端側のＯＴＮ信号処理部との間で、一方でＯＴＮ信号のスキュ処理を行い他方で該スキュ処理に対するデスキュ処理を行うと共に信号伝送のクロックを共有することを特徴とする光通信用クロスコネクト装置等にある。
【発明の効果】
【００１７】
この発明では、装置内スキュが補償され、クロック速度および光伝送インタフェースの種別(速度)に無関係にＬＯ−ＯＤＵ単位での非同期信号交換を容易に実現できる。
【図面の簡単な説明】
【００１８】
【図１】この発明の実施の形態１に係る光通信用クロスコネクト装置の構成を示す図である。
【図２】この発明における送信ＭＬＤ部等でのスキュ処理を説明するための図である。
【図３】この発明の実施の形態１におけるライン信号処理部の詳細な構成の一例を示す図である。
【図４】この発明の実施の形態１に係る光通信用クロスコネクト装置の動作を説明するための図である。
【図５】この発明の実施の形態２に係る光通信用クロスコネクト装置の構成を示す図である。
【図６】この発明の実施の形態２における２つの光通信用クロスコネクト装置が通信可能に接続されている状態の動作を説明するための図である。
【図７】この発明の実施の形態２におけるライン信号処理部のクライアントから光通信システムへの信号処理側の詳細な構成の一例を示す図である。
【図８】この発明の実施の形態２におけるライン信号処理部でのＯＤＴＵ領域の振り分け例を示す図である。
【図９】ＯＴＮ方式におけるフレーム構成を説明するための図である。
【図１０】伝送フレームの下位の速度の伝送フレームを多重収容する階梯構造を説明するための図である。
【発明を実施するための形態】
【００１９】
この発明は、ＬＯ−ＯＤＵｋ単位での回線交換を実現する装置において、装置内スキュ、ＯＤＵｊ種別ごとのレートの違い、収容時のクロックの違いによる非同期の解決、およびＯＤＵｊを交換するためのインタフェースの違いの解決を、簡素で安価に実現可能な構成を提供する、また、ライン信号処理を含んだ光パスでのスキュに対応し、クロック速度および光伝送インタフェースの種別(速度)に無関係にクロック速度、光伝送インタフェース形式(種別)、速度を問わず複数の光パスに分散したクライアント信号の伝送を行うための構成を提供することにある。
【００２０】
この発明では、光通信におけるＯＴＮ信号を交換する光通信用クロスコネクト装置において、クライアント信号収容部と、信号を交換するための空間スイッチと、ライン信号処理部を備え、クライアント信号収容、ライン信号収容において非同期収容を用い、クライアント信号収容部とライン信号処理部のインタフェースにＭＬＤ部を設ける構成とすることで、装置内スキュが補償され、クロック速度および光伝送インタフェースの種別(速度)に無関係にＬＯ−ＯＤＵ単位での非同期信号交換を容易に実現できる。
【００２１】
以下、この発明による光通信用クロスコネクト装置等を各実施の形態に従って図面を用いて説明する。なお、各実施の形態において、同一もしくは相当部分は同一符号で示し、重複する説明は省略する。
【００２２】
実施の形態１．
図１はこの発明の実施の形態１に係る光通信用クロスコネクト装置の構成を示している。図１の光通信用クロスコネクト装置において、それぞれ同一の構成を有する複数のクライアント信号収容部１００−Ａ，１００−Ｂは、通信装置からの電気信号または光信号を電気信号に変換した信号である、任意の形式のクライアント信号(群)１０−Ａ，１０−ＢをそれぞれＬＯ−ＯＤＵ信号に収容してＮ並列信号(Ｎは１以上の整数)２０−Ａ，２０−Ｂとして出力する。また、空間スイッチ２００からのＭ’並列信号(Ｍ’は１以上の整数)２１−Ａ，２１−Ｂからクライアント信号を抽出してクライアント信号(群)１１−Ａ，１１−Ｂとして出力する。
【００２３】
同様にそれぞれ同一の構成を有する複数のライン信号処理部３００−Ａ，３００−Ｂは、入力されたＭ並列信号(Ｍは１以上の整数)３０−Ａ，３０−ＢをそれぞれＯＤＵ多重してＨＯ−ＯＴＵ信号である電気信号４０−Ａ，４０−Ｂとして出力する。また、入力される電気信号４１−Ａ，４１−ＢをそれぞれＯＤＵ多重分離してＮ’並列信号(Ｎ’は１以上の整数)３１−Ａ，３１−Ｂとして出力する。
【００２４】
スイッチ部である分配機能を有する空間スイッチ２００は、クライアント信号収容部１００−Ａ，１００−ＢからのＮ並列信号群２０−Ａ，２０−Ｂの各信号の方路を切り替えてＭ並列信号３０−Ａ，３０−Ｂとしてライン信号処理部３００−Ａ，３００−Ｂに出力し、またライン信号処理部３００−Ａ，３００−ＢからのＮ’並列信号群３１−Ａ，３１−Ｂの各信号の方路を切り替えてＭ’並列信号２１−Ａ，２１−Ｂとしてクライアント信号収容部１００−Ａ，１００−Ｂに出力する。
【００２５】
複数の電気・光信号変換部(Ｅ／Ｏ)４００−Ａ，４００−Ｂは、ライン信号処理部３００−Ａ，３００−Ｂからの電気信号４０−Ａ，４０−Ｂをそれぞれ電気・光変換して光信号５０−Ａ，５０−Ｂとして送出し、また複数の光・電気信号変換部(Ｏ／Ｅ)４１０−Ａ，４１０−Ｂは、図１の光通信用クロスコネクト装置を１つのノードとした場合の、光通信ネットワークの他ノード(図示省略)からの光信号５１−Ａ，５１−Ｂをそれぞれ光・電気変換して電気信号４１−Ａ，４１−Ｂとして送出する。
【００２６】
なお、本実施の形態としてクライアント信号収容部、ライン信号処理部、電気・光信号変換部、光・電気信号変換部は、接続する信号群の説明のために２個ずつで記載しているが、この発明はそれに限るものではなく、それぞれ少なくとも１つを備える構成となる。
【００２７】
まず、クライアント信号を収容して光伝送路に送出する際の動作を説明する。クライアント信号収容部(１００)においてＬＯ−ＯＴＮ収容部(ＯＴＮ(ＬＯ))１０１は入力されたクライアント信号(１０)をＩＴＵ−Ｔ  Ｇ．７０９勧告記載のＬＯ−ＯＤＵ信号にＡＭＰ(Asynchronous Mapping Procedure)、ＢＭＰ(Bit  Mapping Procedure)またはＧＭＰ(Generic Mapping Procedure)による非同期収容を用いて収容し、ＯＴＵｋ信号またはＯＤＵｋ信号として送信ＭＬＤ部１０２に出力する。送信ＭＬＤ部(ＥＧ-ＭＬＤ)１０２は必要に応じて入力された信号をＭＬＤ(Multi Lane Distribution：マルチレーン分配)により、スキュ処理の施されたＮ並列信号(２０)(ＭＬＤ信号または第１のＭＬＤ信号とする)に変換した後に空間スイッチ２００へと出力する。Ｎは１以上の整数であるが、Ｎが１の際には並列化を行わないため、Ｎが１の際には送信ＭＬＤ部１０２は実装を省略することも可能であるし、送信ＭＬＤ部１０２を実装した際場合でも送信ＭＬＤ部１０２で処理を行わないことも可能である。
【００２８】
本実施の形態の一例として、クライアント信号(１０)としてＳＴＭ−２５６信号(４０Ｇｂｐｓ)を収容する場合には、例えばＬＯ−ＯＴＮ収容部１０１はクライアント信号をＯＤＵ３信号に収容し、ＯＴＵ３フレーム化した後、またはＯＤＵ３フレームの状態で送信ＭＬＤ部１０２にて、図２に示すＧ．７０９記載のＯＴＬ(Optical Channel Transport Lane)３．４によるＦＡＳ(Frame-Alignment Signal)信号処理等のスキュ処理を施した後に、４並列信号として空間スイッチ２００へと出力する形態をとることが可能である。図２の(ａ)はＯＴＵ３、(ｂ)はＯＤＵ３に関する、それぞれＯＴＬ３．４によるＦＡＳ信号処理によるスキュ処理を示す。
【００２９】
空間スイッチ２００では複数のクライアント信号収容部１００−Ａ，１００−Ｂから合計２×Ｎ本の信号であるＮ並列信号２０−Ａ，２０−Ｂを受信し、それぞれの並列信号を用途に応じて適切な方路に対応するライン信号処理部３００−Ａまたは３００−Ｂに信号群であるＭ並列信号３０−Ａ，３０−Ｂとして出力する。
【００３０】
受信ＭＬＤ部(ＩＮＧ-ＭＬＤ)３０１は、空間スイッチ２００で交換されライン信号処理部(３００)に入力されたＭ並列信号(３０)のうち、送信ＭＬＤ部１０２においてスキュ処理信号処理を施されたＮ並列信号(２０)には該スキュ処理信号を用いてデスキュ処理を行い、ＬＯ−ＯＤＵｋ信号として回復する。なお、Ｎが１の際には並列化を行わないため、受信ＭＬＤ部３０１は省略することも可能である。回復したＬＯ−ＯＤＵｋ信号はＯＤＵ多重部(ＯＤＵＭＵＸ)３０２に入力される。
【００３１】
ライン信号処理部(３００)の詳細を図３に示す。入力されるＭ本の信号であるＭ並列信号(３０)はチャネル数ｘ(ｘは１以上の整数)の並列信号で構成される。各チャネルにはそれぞれ異なるクライアント信号収容部(１００−Ａ，１００−Ｂ，…)に対応する受信ＭＬＤ処理部３０１−１，３０１−２，…，３０１−ｘが設けられ、受信ＭＬＤ処理部３０１−１，３０１−２，…，３０１−ｘは、空間スイッチ２００で交換され出力されたそれぞれＭ１，Ｍ２，…，Ｍｘ並列信号(３０−１，３０−２，…，３０−ｘ)を受信する。クライアント信号処理部１００−Ａより出力されたＮ並列信号２０−Ａは並列信号３０−１，３０−２，…，３０−ｘのいずれかに割り当てられており、その他のチャネルには異なるクライアント信号収容部(１００)から出力された信号が割り当てられる。チャネル３０−ｎで受信可能な並列信号数Ｍｎは、対応するクライアント信号収容部(１００)より出力される並列信号数Ｎｎと同数かそれ以上である。それぞれの受信ＭＬＤ処理部３０１−１，３０１−２，…，３０１−ｘにて回復したＬＯ−ＯＤＵｋ信号はＯＤＵ多重部３０２に入力される。ＯＤＵ多重部３０２では入力されたＬＯ−ＯＤＵｋ信号をＩＴＵ−Ｔ  Ｇ．７０９勧告記載のＧＭＰ等を用いてＨＯ−ＯＤＵｊ信号に非同期収容する(ｊ≧ｋ)。
【００３２】
ｊ＝ｋかつＬＯ−ＯＤＵｋのクロックとＨＯ−ＯＤＵｊのクロックを同一とする時にはＯＤＵ多重部３０２を省略することも可能である。
ｊ＝ｋかつＬＯ−ＯＤＵｋのクロックとＨＯ−ＯＤＵｊのクロックが同一で無い場合には、ＯＰＵｋ信号の非同期載せ替えを行う。
ＨＯ−ＯＤＵｊ信号はＨＯ−ＯＴＵ収容部(ＯＴＵ(ＨＯ))３０３にてＯＴＵｊフレーム化され電気・光信号変換部(Ｅ／Ｏ)(４００)へと送出され、光信号(５０)として光ファイバにて対向するノードに伝送される。ここで、異なるライン信号処理部３００−Ａおよび３００−Ｂより電気・光信号変換部４００−Ａ，４００−Ｂを通じて送出された光信号５０−Ａ、５０−Ｂは異なる波長か、あるいは異なる方路へと送出される。
【００３３】
次に、光信号(５１)に相当するライン信号を受信してクライアント信号(１１)を送出する場合の動作を説明する。ライン信号処理部(３００)は他ノードからの光信号(５１)を光・電気信号変換部(Ｏ／Ｅ)４１０を通じて電気信号(４１)として受信する。ＯＴＵフレーム受信部(Ｄｅ-ＯＴＵ(ＯＨ))３１３にて送信側で施したＨＯ−ＯＴＵｊフレームからＨＯ−ＯＤＵｊ信号を抽出し、ＯＤＵ多重分離部(ＯＤＵＤＭＵＸ)３１２にてＨＯ−ＯＤＵｊ信号からＬＯ−ＯＤＵｋ信号の多重分離を行う。多重分離されたＬＯ−ＯＤＵｋ信号は送信ＭＬＤ部(ＥＧ-ＭＬＤ)３１１において必要に応じて入力された信号をＭＬＤにより、スキュ処理の施されたＮ’並列信号(３１)(ＭＬＤ信号または第２のＭＬＤ信号とする)に変換された後に空間スイッチ２００へと出力する。
【００３４】
なお送信ＭＬＤ部３１１では図３に示すように、ＯＤＵ多重分離部３１２にて多重分離されたＬＯ−ＯＤＵｋ信号を、対応する送信ＭＬＤ処理部３１１−１，３１１−２，…，３１１−ｘ’にてＮ’１，Ｎ’２，…，Ｎ’ｘ’並列信号(３１−１，３１−２，…，３１−ｘ’)として空間スイッチ２００へ出力する。並列信号３１−１，３１−２，…，３１−ｘ’間は必ずしも同期がとられてはいない。
すなわち、ＯＤＵ多重分離部３１２ではチャネル数ｘ’(ｘ’は１以上の整数)の信号としてＬＯ−ＯＤＵｋ信号への多重分離が行われ、送信ＭＬＤ部３１１から出力されるＮ’本の信号であるＮ’並列信号(３１)はチャネル数ｘ’の並列信号で構成される。各チャネルにはそれぞれ異なるクライアント信号収容部(１００−Ａ，１００−Ｂ，…)に対応する送信ＭＬＤ処理部３１１−１，３１１−２，…，３１１−ｘ’が設けられ、送信ＭＬＤ処理部３１１−１，３１１−２，…，３１１−ｘ’は、ＯＤＵ多重分離部３１２で多重分離された信号のそれぞれ対応するチャネルの信号をスキュ処理し、並列信号(３１−１，３１−２，…，３１−ｘ’)を空間スイッチ２００へと送信する。
【００３５】
空間スイッチ２００では複数のライン信号処理部３００−Ａ，３００−Ｂから合計２×Ｎ’本の信号であるＮ’並列信号３１−Ａ，３１−Ｂを受信し、それぞれの並列信号を用途に応じて適切な方路に対応するクライアント信号収容部１００−Ａまたは１００−ＢにＭ’並列信号２１−Ａ，２１−Ｂとして出力する。したがってライン信号処理部３００より出力される並列信号３１−１，３１−２，…，３１−ｘ’はそれぞれいずれかのクライアント信号部(１００)への入力であるＭ’並列信号(２１)に割り当てられる。クライアント信号収容部１００で受信可能な並列信号数Ｍ’ｎは、対応するチャネル３１−ｎより出力される並列信号数Ｎ’ｎと同数かそれ以上である。
【００３６】
空間スイッチ２００で交換され、クライアント信号収容部(１００)に入力されたＭ’並列信号(２１)のうちの送信ＭＬＤ部３１１でスキュ処理信号処理を施したＮ’並列信号は、受信ＭＬＤ部(ＩＮＧ-ＭＬＤ)１１２において該スキュ処理信号を用いてデスキュ処理を行い、ＬＯ−ＯＤＵｋ信号として回復する。回復したＬＯ−ＯＤＵｋ信号からクライアント信号がクライアント信号抽出部(Ｄｅ-ＯＴＵ(ＬＯ))１１１にて抽出され、クライアント信号１１として出力される。
【００３７】
ここで光受信信号である光信号５１−Ａ，５１−Ｂは異なるノードからの受信を行うために、空間スイッチ２００に入力されるＮ’並列信号(データ)３１−Ａ，３１−Ｂの速度は一般的には非同期となっている。送信ＭＬＤ部３１１から送信先である受信ＭＬＤ部１１２にクロックを送信する、または受信ＭＬＤ部１１２にクロックデータリカバリ(ＣＤＲ)機能を具備することで受信ＭＬＤ部は受信したデータ速度に応じて信号を回復することが可能となる。
【００３８】
これは送信ＭＬＤ部１０２と受信ＭＬＤ部３０１との間でも同様であり、送信ＭＬＤ部１０２から送信先である受信ＭＬＤ部３０１にクロックを送信する、または受信ＭＬＤ部３０１にクロックデータリカバリ(ＣＤＲ)機能を具備することで受信ＭＬＤ部は受信したデータ速度に応じて信号を回復することが可能となる。
【００３９】
空間スイッチ２００は単純に信号路を切り替える機能を担いクロック動作を行わない。従って、内部を通過する信号は特定のシステムクロックに対して同期を必要としないので、送信ＭＬＤ部１０２，３１１と受信ＭＬＤ部３０１，１１２との間のインタフェースに関してはその種別、速度を問わない。例えばＯＴＬ４．１０信号(１１．３Ｇｂｐｓ)とＯＴＵ２信号(１０．７Ｇｂｐｓ)およびＳＦＩ(Serdes Framer Interface)５．１信号(２．６Ｇｂｐｓ)が空間スイッチに対して入出力される状態でも空間スイッチ２００は正常に動作し、各信号はクロック不整合によりデータが損失することは無い。また、ＯＤＵ収容に際してはＧ．７０９勧告に定められた規定さえ満たしていれば自由なクロックでの収容、抽出が可能であり、クライアント信号収容部、ライン信号処理部を含めてシステム全体を統括する共通クロックを必要としない。
【００４０】
このように、空間スイッチを使用すると共に、クライアント信号収容部およびライン信号処理部にスキュ補償を含むＭＬＤ処理機能を搭載し、さらにライン信号処理部にＨＯ／ＬＯでのＯＤＵ非同期収容機能を搭載することにより、装置内スキュが補償され、クロック速度および光伝送インタフェースの種別(処理速度)に無関係に非同期信号通信を行う構成が可能となる。また、空間スイッチ２００はシンプルな信号切り替えスイッチでよく、簡素で安価な装置構成が実現される。
【００４１】
空間スイッチ２００は送信側(１０２−３０１間)と受信側(３１１−１１２間)とで別々の空間スイッチを用いてスイッチ容量を向上させることも可能であるし、または同一の空間スイッチを用いることで部品点数を小さくすることも可能である。後者の場合には、空間スイッチ２００において、ライン信号処理部３００−Ａからの出力３１−Ａのうち一部またはすべてを他のライン信号処理部(３００−Ｂ)への入力３０−Ｂに接続する、またはクライアント信号収容部１００−Ａからの出力２０−Ａのうち一部またはすべてを他のクライアント信号収容部への入力２１−Ｂに接続することによって、ライン信号同士、あるいはクライアント信号同士でＬＯ−ＯＤＵｋ信号のクロスコネクト機能を実現することが可能である。すなわち、空間スイッチ２００を介してライン信号処理部間(３００−Ａ−３００−Ｂ)、クライアント信号収容部間(１００−Ａ−１００−Ｂ)での信号伝送も同様に行える。
【００４２】
さらに上記では、空間スイッチの一方に、種々の形式のクライアント信号とＯＴＵ(ＯＴＮ)信号との間の変換処理を行うクライアント信号収容部、他方にＯＴＵ信号をＬＯ−ＯＤＵとＨＯ−ＯＤＵの間で変換するライン信号処理部、を接続したものを説明したが、両側がクライアント信号収容部、または両側がライン信号処理部を接続したものであってもよい。すなわち、クライアント信号収容部またはライン信号処理部からなるＯＴＮ信号処理部(１００，３００)を空間スイッチに複数接続した構造におけるＯＴＮ信号処理部間の信号伝送において、同様の効果を奏する。
【００４３】
ライン信号処理部(３００)間(３００−Ａ−３００−Ｂ)の信号伝送を行う際の動作を説明する。図４にはこの動作を説明するための図を示す。ライン信号処理部３００−Ａからライン信号処理部３００−Ｂへの送信の状態を示し、ライン信号処理部３００−Ａは送信側のみ、ライン信号処理部３００−Ｂは受信側のみが示されている。ライン信号処理部３００−Ａは他ノードからの光信号(５１−Ａ)を光・電気信号変換部(Ｏ／Ｅ)４１０−Ａ(図１参照)を通じて電気信号(４１−Ａ)として受信する。ＯＴＵフレーム受信部(Ｄｅ-ＯＴＵ(ＯＨ))３１３にて送信側で施したＨＯ−ＯＴＵｊフレームからＨＯ−ＯＤＵｊ信号を抽出し、ＯＤＵ多重分離部(ＯＤＵＤＭＵＸ)３１２にてＨＯ−ＯＤＵｊ信号からＬＯ−ＯＤＵｋ信号への多重分離を行う。多重分離されたＬＯ−ＯＤＵｋ信号は送信ＭＬＤ部(ＥＧ-ＭＬＤ)３１１において、必要に応じて入力された信号をＭＬＤにより、スキュ処理の施されたＮ'並列信号３１−Ａ(ＭＬＤ信号または第２のＭＬＤ信号とする)に変換された後に空間スイッチ２００へと出力される。
【００４４】
空間スイッチ２００ではライン信号処理部３００−ＢのチャネルＢ−ｍへの並列入力信号３０−Ｂ−ｍとして、ライン信号処理部３００−ＡのチャネルＡ−ｎより空間スイッチ２００へと出力された並列出力信号３１−Ａ−ｎを出力する。ライン信号処理部３００−ＢのチャネルＢ−ｍへ入力されたＮ'並列信号３１−Ａはライン信号処理部３００−Ｂの受信ＭＬＤ処理部３０１−Ｂ−ｍ(３０１−２)にてＬＯ−ＯＤＵｋ信号として回復し、ライン信号処理部３００−Ｂの他のチャネルに入力された信号とともに、ＯＤＵ多重部３０２にてＨＯ−ＯＤＵｊ信号に非同期収容される(ｊ≧ｋ)。ＨＯ−ＯＤＵｊはＨＯ−ＯＴＵ収容部(ＯＴＵ(ＨＯ))３０３にてＯＴＵｊフレーム化され電気・光信号変換部(Ｅ／Ｏ)４００−Ｂ(図１参照)へと送出され、光信号５０−Ｂとして光ファイバにて対向するノードに伝送される。
【００４５】
クライアント信号収容部(１００)間(１００−Ａ−１００−Ｂ)の信号伝送を行う際の動作を説明する。クライアント信号収容部１００−ＡにおいてＬＯ−ＯＴＮ収容部(ＯＴＮ(ＬＯ))１０１は入力されたクライアント信号１０−ＡをＩＴＵ−Ｔ  Ｇ．７０９勧告記載のＬＯ−ＯＤＵ信号に非同期収容を用いて収容し、ＯＴＵｋ信号またはＯＤＵｋ信号として送信ＭＬＤ部１０２に出力する。送信ＭＬＤ部１０２は必要に応じて入力された信号をＭＬＤにより、スキュ処理の施されたＮ並列信号２０−Ａに変換した後に空間スイッチ２００へと出力する。空間スイッチ２００ではクライアント信号収容部１００−Ｂへの並列入力信号２１−Ｂとして、クライアント信号収容部１００−Ａより空間スイッチ２００へと出力された並列出力信号２０−Ａを出力する。クライアント信号収容部１００−Ｂに入力された並列信号２１−Ｂは、受信ＭＬＤ部１１２において該スキュ処理信号を用いてデスキュ処理を行い、ＬＯ−ＯＤＵｋ信号として回復する。回復したＬＯ−ＯＤＵｋ信号からクライアント信号がクライアント信号抽出部(Ｄｅ-ＯＴＵ(ＬＯ))１１１にて抽出され、クライアント信号１１−Ｂとして出力される。
【００４６】
なお、ライン信号処理部(３００)間(３００−Ａ−３００−Ｂ)の信号伝送の際には、ライン信号処理部３００−Ａの送信ＭＬＤ部３１１とライン信号処理部３００−Ｂの受信ＭＬＤ部３０１との間、およびライン信号処理部３００−Ｂの送信ＭＬＤ部３１１とライン信号処理部３００−Ａの受信ＭＬＤ部３０１との間で信号伝送のクロックを共有する。またクライアント信号収容部(１００)間(１００−Ａ−１００−Ｂ)の信号伝送の際にも同様に、信号伝送を行う送信ＭＬＤ部１０２と受信ＭＬＤ部１１２の間でそれぞれに信号伝送のクロックを共有する。
【００４７】
実施の形態２．
図５はこの発明の実施の形態２に係る光通信用クロスコネクト装置の構成を示している。図５の光通信用クロスコネクト装置において、クライアント信号収容部１００は、クライアント信号１０をＬＯ−ＯＤＵ信号に収容してＮ並列信号(Ｎは２以上の整数)２０として出力する。また、空間スイッチ２００からのＮ並列信号２１からクライアント信号を抽出してクライアント信号１１として出力する。
【００４８】
複数のライン信号処理部３００ａ−Ａ，３００ａ−Ｂは、入力されたＮ’並列断片信号３０−ＡおよびＮ’’並列断片信号３０−Ｂを(Ｎ＝Ｎ’＋Ｎ’’)、それぞれＯＤＵ多重してＨＯ−ＯＴＵ信号として出力する。また、入力される電気信号４１−Ａ，４１−ＢをそれぞれＯＤＵ多重分離してＮ’並列信号３１−Ａ，Ｎ’’並列信号３１−Ｂとして出力する。
【００４９】
スイッチ部である空間スイッチ２００は、クライアント信号収容部１００からのＮ並列信号２０の各信号の方路を切り替えてＮ’並列断片信号３０−ＡおよびＮ’’並列断片信号３０−Ｂとしてライン信号処理部３００ａ−Ａ，３００ａ−Ｂに出力する。またライン信号処理部３００ａ−Ａ，３００ａ−ＢからのＮ’並列信号３１−Ａ，Ｎ’’並列信号３１−Ｂの各信号の方路を切り替えてＮ並列信号２１としてクライアント信号収容部１００に出力する。
【００５０】
複数の電気・光信号変換部(Ｅ／Ｏ)４００−Ａ，４００−Ｂは、ライン信号処理部３００ａ−Ａ，３００ａ−Ｂからの電気信号４０−Ａ，４０−Ｂをそれぞれ電気・光変換して光信号５０−Ａ，５０−Ｂとして送出し、また複数の光・電気信号変換部(Ｏ／Ｅ)４１０−Ａ，４１０−Ｂは、他ノード(図示省略)からの光信号５１−Ａ，５１−Ｂをそれぞれ光・電気変換して電気信号４１−Ａ，４１−Ｂとして送出する。
【００５１】
なお、本実施の形態としてクライアント信号収容部は１個、ライン信号処理部、電気・光信号変換部、光・電気信号変換部は、それらに伝送される信号群の説明のために２個ずつで記載しているが、実施の形態１同様にこの発明はそれに限るものではない。
【００５２】
上記実施の形態１では、空間スイッチ２００の両側のクライアント信号収容部(１００)とライン信号処理部(３００)の間でスキュ処理と該スキュ処理に対するデスキュ処理をしていた。本実施の形態ではライン信号処理部(３００)側ではスキュ処理を行わず、図５に示す構成を有する例えば送信側となるノードのクライアント信号収容部(１００)の出力と、同じ構成を有する通信相手の受信側の他のノードのクライアント信号収容部(１００)への入力の間(例えばの上りと下り)でスキュ処理と該スキュ処理に対するデスキュ処理が行われる。
【００５３】
図６には上述の、それぞれ通信ノードを構成する２つの光通信用クロスコネクト装置が通信可能に接続されている状態での動作を説明するための図を示す。図６では、上側と下側の光通信用クロスコネクト装置がそれぞれ図５に示す構成を有し、上側の光通信用クロスコネクト装置が送信側ノードになり、下側の光通信用クロスコネクト装置が受信側ノードになっている状態を示している。動作に無関係な部分は図示が省略されている。そして、上側の送信側ノードのクライアント信号収容部１００−Ａの送信ＭＬＤ部１０２と下側の受信側ノードのクライアント信号収容部１００−ＡＡの受信ＭＬＤ部１１２との間で、スキュ処理と該スキュ処理に対するデスキュ処理、およびクロックの共有が行われる。
【００５４】
また本実施の形態では、図１に示した実施の形態１のように、複数のクライアント信号収容部(１００−Ａ，１００−Ｂ，…)を備えていてもよく、以下では複数のクライアント信号収容部が接続されている構成を前提に説明を行う。
【００５５】
まず、クライアント信号を収容して光伝送路に送出する際の動作を説明する。実施の形態１同様に、クライアント信号収容部１００においてＬＯ−ＯＴＮ収容部１０１は入力されたクライアント信号１０をＬＯ−ＯＤＵ信号に収容しＯＤＵｋ信号として送信ＭＬＤ部１０２に出力する。送信ＭＬＤ部１０２は入力されたＯＤＵｋ信号をスキュ処理の施したＮ並列信号２０(ＭＬＤ信号または第１のＭＬＤ信号とする)に変換した後に空間スイッチ２００へと出力する。
【００５６】
空間スイッチ２００ではクライアント信号収容部１００からのＮ本の信号であるＮ並列信号２０を受信し、Ｎ並列信号２０のＮ本の信号をライン信号処理部３００ａ−ＡにＮ’本の並列断片信号３０−Ａ、ライン信号処理部３００ａ−ＢにＮ’’本の並列断片信号３０−Ｂとして分配(Ｎ＝Ｎ’＋Ｎ’’)し、出力する。
【００５７】
空間スイッチ２００で分配され、ライン信号処理部３００ａ−Ａに入力されたＮ’並列断片信号３０−Ａは、ＯＤＵ多重部３０２−Ａに入力され、ＩＴＵ−Ｔ  Ｇ．７０９記載のＯＤＵｆｌｅｘ等によりＨＯ−ＯＤＵｊのＯＤＴＵトリビュタリスロット領域に直接非同期マッピングされる。
【００５８】
本実施の形態におけるライン信号処理部(３００ａ)のクライアントから光通信ネットワークへの信号の信号処理側の詳細を図７に示す。破線で示した受信ＭＬＤ処理部３０１−２は、図１の実施の形態１のように受信ＭＬＤ部３０１を設けた場合に、分配された一部の並列信号(例えばＮ２並列信号)に受信ＭＬＤ処理部を設けた場合を示す。
【００５９】
なお、光通信ネットワークからクライアント側への信号処理側は、ＯＴＵフレーム受信部３１３、ＯＤＵ多重分離部３１２と、ＯＤＵ多重分離部３１２で多重分離された一部の並列信号に送信ＭＬＤ処理部(３１１)を設けたものとなる。
【００６０】
ライン信号処理部(３００ａ)は本実施の形態においても異なるクライアント信号収容部からのＬＯ−ＯＤＵｋ信号をＭＬＤとして受信する機能を持ち、ＯＤＴＵｊ．ｔｓトリビュタリスロットを適切に振り分けることで並列断片信号の直接マッピングとＬＯ−ＯＤＵｊを多重する機能とが共存する。
【００６１】
図８に本実施の形態における、複数のクライアント信号収容部からの信号を収容する場合のＯＤＴＵ領域の振り分けの一例を示す。ライン信号処理部(３００ａ)にてＯＤＴＵ４．ｔｓトリビュタリスロットの総数が８０であるＨＯ−ＯＴＵ４に対して、クライアント信号収容部Ａからの４本のＯＴＬ３．４並列信号のうち３本の信号を収容し(図８のＡ−１〜Ａ−３に相当)、クライアント信号収容部ＢからのＬＯ−ＯＴＵ３信号を収容し(図８のＢ)、クライアント信号収容部ＣからのＯＴＬ３．４並列信号のうち２本の信号を収容し(図８のＣ)、クライアント信号収容部ＤからのＯＤＵ２信号を収容(図８のＤ)する。
【００６２】
ＯＴＬ３．４の４並列信号にてＯＤＵ３信号を伝送する場合、並列信号１本あたりに対して必要なＯＤＴＵ４．ｔｓの数は８である。従って断片並列信号を３本入力するクライアント(Ａ)に対してスロット１から２４までを割り当てる。また、ＬＯ−ＯＤＵ３を伝送するのに必要なスロット数は３２であるのでスロット２５から５６までをクライアントＢからの信号に割り当てる。
【００６３】
クライアントＣに対してはＯＴＬ３．４の４並列信号のうち２本を割り当てるので必要なスロット数１６に対してスロット５７から７２までを割り当てる。ＬＯ−ＯＤＵ２を伝送するのに必要なスロット数は８であるので、クライアントＤに対してはスロット７３から８０までを割り当てる。
【００６４】
このようにして、ライン信号処理部(３００ａ)はＯＤＴＵｊ．ｔｓトリビュタリスロットを適切に振り分けることで並列断片信号の直接マッピングとＬＯ−ＯＤＵｊを多重する機能とを共存させることが可能となる。
【００６５】
このようにしてＯＤＵ多重を行い、ＯＤＵ多重部３０２より出力されたＨＯ−ＯＤＵｊ信号はＨＯ−ＯＴＵ収容部３０３にてＯＴＵｊフレーム化され電気・光信号変換部４００−Ａへと送出され、光信号５０−Ａとして光ファイバにて光通信ネットワークの対向するノードに伝送される。ここで、異なるライン信号処理部３００ａ−Ａ，３００ａ−Ｂより電気・光信号変換部４００−Ａ，４００−Ｂを通じて送出された光信号５０−Ａ、５０−Ｂは異なる光パスとして送出される。ここでＯＤＵ多重に際して非同期マッピングを行うために、ライン信号処理部３００ａ−Ａ，３００−Ｂ間から送信されるＨＯ−ＯＴＵｊ信号はｊ≧ｋを満たしていれば異なる種別であってよい。
【００６６】
次に、ライン信号を受信してクライアント信号を送出する場合の動作を説明する。受信ノードも送信ノードと同様に図５に示す構成を有する。上述のようにして送信ノードから光伝送路で送信された光信号５０−Ａは受信ノードでは光信号５１−Ａとしてライン信号処理部３００ａ−Ａにて受信され、送信ノードから光伝送路で送信された光信号５０−Ｂは受信ノードでは光信号５１−Ｂとしてライン信号処理部３００ａ−Ｂにて受信される。ライン信号処理部(３００ａ)は他ノードからの光信号(５１)を光・電気信号変換部(４１０)を通じて電気信号４１として受信する。ＯＴＵフレーム受信部３１３にて送信側で施したＨＯ−ＯＴＵｊフレームからＨＯ−ＯＤＵｊ信号を抽出し、ＯＤＵ多重分離部３１２にてＨＯ−ＯＤＵｊ信号から各並列信号(および多重されたＬＯ−ＯＤＵｋ信号)の多重分離を行う。多重分離された各並列信号(ＭＬＤ信号または第２のＭＬＤ信号とする)は空間スイッチ２００へと出力される。光信号５１−Ｂを受信したライン信号処理部３００ａ−Ｂでの動作も同様である。
【００６７】
送信ノードでライン信号処理部３００ａ−Ａへの入力(３０−Ａ)に割り当てられた並列断片信号３０−Ａの信号の数はＮ’であり、受信ノードでライン信号処理部３００ａ−Ａからの出力(３１−Ａ)として出力される並列断片信号３１−Ａの信号の数はＮ’である。
同様に、送信ノードでライン信号処理部３００ａ−Ｂへの入力(３０−Ｂ)に割り当てられた並列断片信号３０−Ｂの信号の数はＮ’’であり、受信ノードでライン信号処理部３００ａ−Ｂからの出力(３１−Ｂ)として出力される並列断片信号３１−Ｂの数はＮ’’である。受信ノードの空間スイッチ２００では並列断片信号３１−Ａに含まれる信号と並列断片信号３１−Ｂに含まれる信号の合計Ｎ’＋Ｎ’’＝Ｎ本の信号を受信ノードのクライアント信号収容部１００(図６では１００−ＡＡ)へとＮ並列信号２１として出力する。
【００６８】
受信ノードのクライアント信号収容部１００へと入力されるＮ並列信号２１は送信ノードの送信ＭＬＤ部１０２にてスキュ処理が施されたＮ並列信号であり、受信ノードの受信ＭＬＤ部１１２にてデスキュ処理を行い、ＬＯ−ＯＤＵｊ信号として回復される。回復したＬＯ−ＯＤＵｋ信号からクライアント信号がクライアント信号抽出部１１１にて抽出され、クライアント信号１１として出力される。
【００６９】
このように、ＭＬＤ処理機能を搭載したクライアント信号収容部１００と、ＨＯ／ＬＯでのＯＤＵ非同期収容機能を搭載したライン信号処理部３００ａと、スイッチ機能である空間スイッチ２００を設けることにより、ライン信号処理を含んだ光パスでのスキュに対応し、クロック速度および光伝送インタフェースの種別(処理速度)に無関係に複数の光パスに分散したクライアント信号の伝送を行うことが可能となる。また、スイッチ機能として空間スイッチを用い、ライン信号処理部にもＭＬＤ処理機能を搭載することで、装置内をＯＴＵｋの状態でＭＬＤ伝送するＬＯ−ＯＤＵｋ信号とＯＤＵｋの状態でＭＬＤ伝送するＬＯ−ＯＤＵｋ信号とを共存させることが可能となる。
【００７０】
本実施の形態の説明として、光パスが送信ノードと受信ノードを接続する形態で説明を行ったが、中間ノードの空間スイッチ２００において、ライン信号処理部３００ａ−Ａからの出力(３１−Ａ)のうち抽出されたＮ’並列信号すべてを単一の他のライン信号処理部への入力３０に接続する、またはＮ’並列信号を複数の他のライン信号処理部への入力３０に分散して接続することによって光パスを変更ないし光パスをさらに分散してＮ’並列断片信号の伝送を行うことも可能である。すなわち、空間スイッチ２００を介してライン信号処理部(３００)間、クライアント信号収容部(１００)間での信号伝送も同様に行える。
【００７１】
また本実施の形態の場合は、信号送信するノードである光通信用クロスコネクト装置間において、送信側の光通信用クロスコネクト装置のクライアント信号収容部１００の送信ＭＬＤ部１０２と、受信側の光通信用クロスコネクト装置のクライアント信号収容部１００の受信ＭＬＤ部１１２の間で、それぞれに信号伝送のクロックを共有する。
【００７２】
この発明は上記各実施の形態に限定されるものではなく、これらの可能な組み合わせを全て含むことは云うまでもない。
【産業上の利用の可能性】
【００７３】
なおこの発明による光通信用クロスコネクト装置およびその信号処理方法は、多くの分野の光通信システムに適用可能である。
【符号の説明】
【００７４】
１００，１００−Ａ，１００−Ｂ  クライアント信号収容部、１０１  ＬＯ−ＯＴＮ収容部、１０２，３１１  送信ＭＬＤ部、１１１  クライアント信号抽出部、１１２，３０１  受信ＭＬＤ部、２００  空間スイッチ、３００，３００−Ａ，３００−Ｂ，３００ａ，３００ａ−Ａ，３００ａ−Ｂ  ライン信号処理部、３０１−１，３０１−２，…，３０１−ｘ  受信ＭＬＤ処理部、３０２  ＯＤＵ多重部、３０３  ＨＯ−ＯＴＵ収容部、３１１−１，３１１−２，…，３１１−ｘ’  送信ＭＬＤ処理部、３１２  ＯＤＵ多重分離部、３１３  ＯＴＵフレーム受信部、４００  電気・光信号変換部、４１０  光・電気信号変換部。
【図１】
0006038308.tif 000002
【図２】
0006038308.tif 000003
【図３】
0006038308.tif 000004
【図４】
0006038308.tif 000005
【図５】
0006038308.tif 000006
【図６】
0006038308.tif 000007
【図７】
0006038308.tif 000008
【図８】
0006038308.tif 000009
【図９】
0006038308.tif 000010
【図１０】
0006038308.tif 000011